(57)【要約】【課題】簡単に抜き差しでき、幅広い開口径の管状部材に対応でき、特に、ホースの外周面に保護スプリングを挿入するために好適な端部栓を提供する。【解決手段】管状部材の端部への挿入部１と、挿入部１の内部に差し込まれた本体部２とからなる端部栓であって、合成樹脂製の挿入部１の軸方向にスリット３が設けられると共に、本体部２の差し込み側に拡径部材４が設けられ、本体部２を軸方向に押し込むと挿入部１が拡径する管状部材の端部栓。特に、ホースへの保護スプリング挿入用の端部栓としては、本体部２の最大径を管状部材の外径と同一にし、本体部２の露出側を球状にする。【選択図】  図１
2004190792.tif 000002
【特許請求の範囲】
【請求項１】
管状部材（１０）の端部への挿入部（１）と、挿入部（１）の内部に差し込まれた本体部（２）とからなる端部栓であって、合成樹脂製の挿入部（１）の軸方向にスリット（３）が設けられると共に、本体部（２）の差し込み側に拡径部材（４）が設けられ、本体部（２）を軸方向に押し込むと挿入部（１）が拡径することを特徴とする管状部材の端部栓。
【請求項２】
拡径部材（４）が、本体部（２）の外周面に一体的に形成されたテーパー部であることを特徴とする請求項１に記載の管状部材の端部栓。
【請求項３】
拡径部材（４）が、球体であることを特徴とする請求項１に記載の管状部材の端部栓。
【請求項４】
挿入部（１）と本体部（２）との間に、位置決め部材（５）が設けられていることを特徴とする請求項１から３のいずれか１項に記載の管状部材の端部栓。
【請求項５】
位置決め部材（５）が、スペーサーであることを特徴とする請求項４に記載の管状部材の端部栓。
【請求項６】
位置決め部材（５）が、ネジ部であることを特徴とする請求項４に記載の管状部材の端部栓。
【請求項７】
本体部（２）の最大径が管状部材（１０）の外径と同一で、本体部（２）の露出側が球状になっていることを特徴とする請求項１から６のいずれか１項に記載の管状部材の端部栓。
【発明の詳細な説明】
【０００１】
【発明の属する技術分野】
本発明は、管状部材の開口端を閉塞するための端部栓に関するものであり、特に、ホースの外周面に保護スプリングを挿入するために好適な端部栓に関するものである。
【０００２】
【従来の技術】
従来から、開口部を一時的に閉塞するために、抜き差し自在の端部栓が使用されている。例えば、図５に示すような端部栓は、開口部の外径と略同一の大きさの外径を有するゴム製の栓体１１に、金属製の固定ピン１２を挿入するものである。
【０００３】
即ち、栓体２１の中心に孔部が形成されており、固定ピン２２は、中間部が先端部側から後端部側へ向かって次第に拡径されたテーパー部２４となっている。そして、固定ピン２２を栓体２１の孔部に押し込むことにより、テーパー部２４によって栓体２１の外径を拡大させ、栓体２１の外周面を開口部の内周面に密着させることによって確実なシール状態を確保するようになっている（例えば、特許文献１参照。）。
【０００４】
【特許文献１】
実開平７−３７３６１号公報  （第２頁、図１−４）
【０００５】
【発明が解決しようとする課題】
しかしながら、図５に示す特許文献１に記載の端部栓は、ゴム製の栓体２１に固定ピン２２を挿入するため、固定ピン２２を押し込む際の抵抗が大きく、扱いにくいという問題があった。しかも、ゴム製の栓体２１に亀裂が発生しないように、栓体２１の拡径の程度を大きくできないという問題もあった。
【０００６】
また、特許文献１に記載の端部栓は、自動二輪車等の車両の燃料タンク等の容器に適応されるシール栓であることから、他の用途、特に、ホースに保護スプリングを挿入するための端部栓としては、不適当なものであった。
【０００７】
そこで本発明は、簡単に抜き差しでき、幅広い開口径の管状部材に対応でき、特に、ホースの外周面に保護スプリングを挿入するために好適な端部栓を提供することを目的とするものである。
【０００８】
【課題を解決するための手段】
本発明は、以上の課題を解決するためになされたものであって、その要旨は、管状部材の端部への挿入部と、挿入部の内部に差し込まれた本体部とからなる端部栓であって、合成樹脂製の挿入部の軸方向にスリットが設けられると共に、本体部の差し込み側に拡径部材が設けられ、本体部を軸方向に押し込むと挿入部が拡径する管状部材の端部栓に係るものである。
【０００９】
ここで、拡径部材は、本体部の外周面に一体的に形成されたテーパー部であるか、球体であることが好ましい。また、挿入部と本体部との間に、位置決め部材を設けることが好ましく、位置決め部材としては、スペーサーを使用したり、ネジ部を形成したりすることが考えられる。そして特に、ホースの外周面に保護スプリングを挿入するための端部栓として使用する場合には、本体部の最大径を管状部材の外径と同一とし、本体部の露出側を球状にすることが好ましい。
【００１０】
【発明の実施の形態】
本発明の端部栓は、管状部材の端部に挿入して使用するものである。ここで、管状部材とは、ホース等に限られず、瓶口等のように、開口端が管状になっているものも含まれる。
【００１１】
そして、端部栓は、管状部材の端部への挿入部と、挿入部の内部に差し込まれた本体部とからなっている。ここで、挿入部は合成樹脂製で、軸方向にスリットが設けられ、本体部を軸方向に押し込むと挿入部が拡径する。即ち、スリットの幅が広がって拡径するのである。従って、スリットの幅、長さ、数等を適宜設定することにより、拡径の程度を自由に大きくも小さくもできる。
【００１２】
また、本体部の差し込み側には、挿入部を拡径させるための拡径部材が設けられている。拡径部材は、例えば、本体部の外周面に一体的に形成されたテーパー部や、球体等で構成することができる。
【００１３】
即ち、テーパー部を拡径部材とした場合には、本体部の差し込み側を小径にしておく。一方、挿入部は奥側から切り込みを入れてスリットを形成すると共に、奥側を小径にしておく。すると、本体部を軸方向に押し込むだけで、挿入部の奥側の小径部分が徐々に本体部の大径部分と接触するようになり、スリットの幅が広がって挿入部が簡単に拡径する。しかも、挿入部が合成樹脂製なので摩擦抵抗が小さく、本体部を容易に押し込むことができる。
【００１４】
また、球体を拡径部材とした場合には、本体部の差し込み側の先端に球体を配置しておく。すると、本体部を軸方向に押し込めば、挿入部の奥側の小径部分が球体と接触するようになり、その結果、スリットの幅が広がって挿入部が簡単に拡径し、固定力を発揮する。なお、テーパー部であっても球体であっても、本体部を引っ張って移動させればスリットの幅が元に戻るので、端部栓の取り付け取り外しは簡便である。
【００１５】
このように、本発明の管状部材の端部栓は、本体部を軸方向に押し込むと挿入部が拡径するが、拡径の程度は、本体部の押し込み量によって変化する。一方、管状部材の内径は様々であり、たとえ呼び径が同一であっても、内径精度にばらつきがある場合もある。そのため、押し込み量によって端部栓の固定力が左右され、安定しないことが考えられる。
【００１６】
そこで、挿入部と本体部との間に、位置決め部材を設けることが好ましい。即ち、位置決め部材によって本体部の押し込み量を一定に保ち、常に同じ程度で挿入部が拡径するようにして固定力を安定させるのである。また、管状部材の内径の種類や、内径精度のばらつきに応じた位置決め部材を用意しておき、適当な位置決め部材を選択することで、固定力を安定させることができる。
【００１７】
位置決め部材としては、例えば、挿入部と本体部とにそれぞれフランジを設けて面接触するようにしておき、このフランジ間にスペーサーを入れることが考えられる。また、挿入部に雌ネジ、本体部に雄ネジを形成しておき、挿入部に対する本体部の差し込みをネジ込み式にしておけば、ネジ部が位置決め部材になる。なお、凹凸部の嵌め合い等を位置決め部材にしてもよい。
【００１８】
ところで、本発明の端部栓は、特に、ホースの外周面に保護スプリングを挿入するための端部栓として好適なものである。即ち、ゴムホースにあっては、外面ゴムの外傷を防止するために保護スプリングを使用する場合があるが、保護スプリングはホースの端部から挿入される。この場合、ホース外径と保護スプリング内径との寸法差が小さいことから、挿入の容易性を考慮して端部栓が使用されている。
【００１９】
このような端部栓は、取り付け取り外しの簡便さ、固定力の安定性の他、保護スプリングの挿入性も要求される。そこで、本発明の端部栓において、本体部の最大径を管状部材の外径と同一とし、本体部の露出側を球状にしておくことで、保護スプリング挿入用の端部栓として特に好適なものとなる。
【００２０】
【実施例】
以下、本発明の管状部材の端部栓における最良の実施の形態を図面をもって説明する。図１は、本発明の端部栓の一例を示す一部断面図であり、管状部材の端部への挿入部１と、挿入部１の内部に差し込まれた本体部２とからなっている。そして、ゴムホースである管状部材１０に取り付けるものである。
【００２１】
図１に示す第１実施例の端部栓において、挿入部１は合成樹脂製で、図２に示す通り、上下左右にそれぞれ軸方向のスリット３が設けられている。また、挿入部１はフランジ１Ａを有しており、更に、段部１Ｂによって奥側が小径になっている。
【００２２】
一方、本体部２の差し込み側には、外周面に一体的に形成されたテーパー部の拡径部材４が設けられている。また、本体部２は頭部（露出側）が球状のフランジ２Ａを有しており、フランジ２Ａの外径（本体部２の最大径）は管状部材１０の外径と同一となっている。
【００２３】
そのため、挿入部１に対して本体部２を軸方向に押し込むと、拡径部材４のテーパーが段部１Ｂに接触して挿入部１を徐々に押し広げる。即ち、スリット３の幅が広がり、挿入部１が拡径して固定力を発揮するのである。なお、この際、挿入部１のフランジ１Ａと本体部２のフランジ２Ａとの隙間に適当な厚みのスペーサーを位置決め部材５として入れておくことで、本体部２の押し込み量を調整でき固定力の安定化を図ることができる。
【００２４】
このようにして管状部材１０に固定された端部栓は、保護スプリングを挿入する際に特に有効なものである。即ち、図３に概念図で示す通り、ゴムホースである管状部材１０に、外面ゴムの外傷を防止するための保護スプリング１１を挿入する場合、図１に示す第１実施例の端部栓であれば、本体部２の最大径が管状部材１０の外径と同一となっており、しかも、本体部２の頭部（露出側）が球状のフランジ２Ａになっている。
【００２５】
従って、管状部材１０の外径と保護スプリング１１の内径との寸法差が小さくても、端部栓の固定側から保護スプリング１１を簡単に挿入できるのである。そして、端部栓は、保護スプリング１１の挿入後に本体部２を引き抜き方向に移動させるだけで、簡単に取り外すことができる。
【００２６】
図４は、本発明の管状部材の端部栓の第２実施例を示す一部断面図である。第２実施例の端部栓は、第１実施例に対し、拡径部材４を球体とし、位置決め部材５として、挿入部１に雌ネジ、本体部２に雄ネジを形成したものである。なお、第２実施例の端部栓も第１実施例と全く同様の作用効果を奏する。
【００２７】
【発明の効果】
本発明の管状部材の端部栓は、管状部材の端部への挿入部と、挿入部の内部に差し込まれた本体部とからなり、合成樹脂製の挿入部の軸方向にスリットが設けられると共に、本体部の差し込み側に拡径部材が設けられ、本体部を軸方向に押し込むと挿入部が拡径するので、端部栓を簡単に抜き差しでき、幅広い開口径の管状部材に対応できる。
【図面の簡単な説明】
【図１】図１は、本発明の管状部材の端部栓の第１実施例を示す一部断面図である。
【図２】図２は、第１実施例の端部栓における挿入部を示す側面図及び正面図である。
【図３】図３は、第１実施例の端部栓をホースに使用して保護スプリングを挿入する方法を示す概念図である。
【図４】図４は、本発明の管状部材の端部栓の第２実施例を示す一部断面図である。
【図５】図５は、従来の端部栓を示す一部断面図である。
【符号の説明】
１‥挿入部
１Ａ‥フランジ
１Ｂ‥段部
２‥本体部
２Ａ‥フランジ
３‥スリット
４‥拡径部材
５‥位置決め部材
１０‥管状部材
１１‥保護スプリング
２１‥栓体
２２‥固定ピン
２４‥テーパー部
【図１】
2004190792.tif 000003
【図２】
2004190792.tif 000004
【図３】
2004190792.tif 000005
【図４】
2004190792.tif 000006
【図５】
2004190792.tif 000007